(57)【要約】【課題】幅狭の外装ケースにおいて、本体配管の数量が増加しても外部配管との接続作業を容易に行える接続構成を提供することを目的とする。【解決手段】貯湯タンクユニット１の前面側に外部配管２０と本体内配管とを接続する配管接続部１ｃを設け、その下方に外部配管２０を接続する配管接続スペース1ｂを設け、前記配管接続部１cには複数の本体内配管を略千鳥状に配置するとともに、その接続端は後方に配置された配管長を前方より長く突出させる。【選択図】図１
2006084114.tif 000002
【特許請求の範囲】
【請求項１】
湯水を貯湯する貯湯タンクを前後方向に２個配置し幅狭の筐体構成とした貯湯タンクユニットにおいて、前記貯湯タンクユニットの前面側に外部配管と本体内配管とを接続する配管接続部を設け、その下方に外部配管を接続する配管接続スペースを設け、前記配管接続部には複数の本体内配管を略千鳥状に配置するとともに、その接続端は後方に配置された配管長を前方より長く突出させたことを特徴とする貯湯タンクユニット。
【請求項２】
配管接続スペースを覆う化粧カバーを着脱自在に設けたことを特徴とする請求項１記載の貯湯タンクユニット。
【請求項３】
化粧カバーは2部品で構成しビス止めにより締結した請求項２記載の貯湯タンクユニット。
【発明の詳細な説明】
【技術分野】
【０００１】
本発明は、貯湯タンクユニットに関し、特に、外部配管との接続構成に関するものである。
【背景技術】
【０００２】
従来この種の貯湯タンクユニットは、特許文献１に示すように、大容量の貯湯タンクを外装ケースで覆い、その前面部下方に外部配管との接続部を設ける構成となっており、大容量の貯湯タンクであるためタンク外径も大きく該タンクを収納する外装ケースの幅寸法も広いものであった。このため、本体内配管も前面部に横一列に配置することが可能であり、外部配管との接続も容易に行えるものであった（例えば、特許文献１参照）。
【０００３】
しかしながら、近年、集合住宅への設置等、狭地への設置要望が強まり、外装ケースの幅寸法の小さい貯湯タンクユニットが必要となってきた。また、機能面でも従来の給湯のみではなく、風呂追い焚き回路や暖房回路を内蔵したものが要求されている。この機能追加に伴い、本体内配管の数も増加し、従来の給水管と給湯管に加え、追い焚き往き管、戻り管、暖房往き管、戻り管というように３倍に増加している。
【特許文献１】特開２００４−１４４４３７号公報
【発明の開示】
【発明が解決しようとする課題】
【０００４】
しかしながら上記従来の構成では、幅広の外装ケース前面部に横一列に本体内配管を配置しているため、本体内配管の数量が増加すると間隔を狭めて配置する必要があり、外部配管との接続作業において困難を強いられるものであった。
【０００５】
本発明は上記従来の課題を解決するもので、幅狭の外装ケースにおいて本体配管の数量が増加しても外部配管との接続作業を容易に行える接続構成を提供することを目的としたものである。
【課題を解決するための手段】
【０００６】
上記目的を達成するため本発明の貯湯タンクユニットは、湯水を貯湯する貯湯タンクを前後方向に２個配置し幅狭の筐体構成とした貯湯タンクユニットにおいて、前記貯湯タンクユニットの前面側に外部配管と本体内配管とを接続する配管接続部を設け、その下方に外部配管を接続する配管接続スペースを設け、前記配管接続部には複数の本体内配管を略千鳥状に配置するとともに、その接続端は後方に配置された配管長を前方より長く突出させたものである。
【０００７】
上記発明によれば、集合住宅等の狭地への設置に対応するため、タンク外径を小さくした貯湯タンクを２個直列に接続して必要容量を確保した幅狭の筐体構成とし、この幅狭の筐体構成において、増加した本体配管を筐体前面部の配管接続部に略千鳥状に配置することで収納可能とし、かつ外部配管との接続は前記千鳥状に配置した本体配管の接続端を後方を長く突出させることで、接続作業が容易に行えるようにしたものである。
【発明の効果】
【０００８】
本発明の貯湯タンクユニットは、タンク外径を小さくした貯湯タンクを２個直列に接続して必要容量を確保した幅狭の筐体構成とすることで、集合住宅等の狭地への設置に対応することができ、この幅狭の筐体構成において、増加した本体配管を筐体前面部の配管接続部に略千鳥状に配置することで収納可能とし、かつ外部配管との接続は前記千鳥状に配置した本体配管の接続端を後方を長く突出させることで、接続作業が容易に行えるものである。
【発明を実施するための最良の形態】
【０００９】
第１の発明は、湯水を貯湯する貯湯タンクを前後方向に２個配置し幅狭の筐体構成とした貯湯タンクユニットにおいて、前記貯湯タンクユニットの前面側に外部配管と本体内配管とを接続する配管接続部を設け、その下方に外部配管を接続する配管接続スペースを設け、前記配管接続部には複数の本体内配管を略千鳥状に配置するとともに、その接続端は後方に配置された配管長を前方より長く突出させたことを特徴とするものである。
【００１０】
そして、タンク外径を小さくした貯湯タンクを２個直列に接続して必要容量を確保した幅狭の筐体構成とすることで、集合住宅等の狭地への設置に対応することができ、この幅狭の筐体構成において、増加した本体配管を筐体前面部の配管接続部に略千鳥状に配置することで収納可能とし、かつ外部配管との接続は前記千鳥状に配置した本体配管の接続端を後方を長く突出させることで、接続作業が容易に行えるものである。
【００１１】
第２の発明は、配管接続スペースを覆う化粧カバーを着脱自在に設けたことを特徴とするものであり、外部配管との接続作業完了後に化粧カバーで覆うことで外観的な見栄えを良好に確保することができる。
【００１２】
第３の発明は、化粧カバーは２部品で構成しビス止めにより締結したことを特徴とするもので、配管を前面に引き回す場合１部品を外すことにより、化粧カバー全体を外すことなく綺麗に配管できるものである。
【００１３】
以下、本発明の実施の形態について、図面を参照しながら説明する。なお、この実施の形態によって本発明が限定されるものではない。
【００１４】
（実施の形態１）
図１は、本発明の実施の形態１における貯湯タンクユニットの全体構成図、図２は同貯湯タンクユニットの横断面図、図３は同貯湯タンクユニットの配管接続部の詳細図、図４は同貯湯タンクユニットの前断面図である。
【００１５】
図において、外部配管の１つである水道配管５は、給水圧を所定の水圧に減圧する減圧弁６を配した給水管７に接続され、この給水管７を介して２つに分割した第１貯湯タンク３と第２貯湯タンク４に給水される。前記第１貯湯タンク３と第２貯湯タンク４は外装ケース１ａ内において前後方向に分割して配設することで、所定のタンク容量を確保しつつ、幅狭で奥行きの長い貯湯タンクユニット１を構成している。
【００１６】
また、貯湯タンクユニット１には、前記貯湯タンク３、４と熱源機２との間で湯水の搬送を行う沸き上げポンプ８と、前記貯湯タンク３、４のいずれかのタンクに接続された給湯パイプ１２から供給される高温水と給水管７から供給される水を設定温度に応じて内蔵された弁体の開度比率を制御しながら混合して所望の温度の混合水を確保する電動式混合弁１１と、前記混合弁１１から供給される混合水を給湯口であるカラン１４に導く出湯管１３と、前記貯湯タンク３、４のいずれかのタンクに接続された風呂パイプ１６から供給される高温水を浴槽１７に注湯するための風呂注湯開閉弁１５と、前記浴槽１７の浴槽水を循環して貯湯タンク３、４の高温水と熱交換する風呂追い焚き熱交換器２３等を内蔵しており、上記各構成部品と貯湯タンク３、４との間で複数の配管により接続されている。
【００１７】
そして、貯湯タンクユニット１の内部配管と熱源機２や浴槽１７との間で行う外部配管２０との接続は、貯湯タンクユニット１の下方に設けた配管接続スペース１ｂに集約して、この空間を利用して行うようにしている。
【００１８】
本実施の形態においては、外部配管２０として、熱源機２との間で貯湯タンク３、４内の湯水を循環する沸き上げ往き管９ａ、沸き上げ戻り管１０ａ及び浴槽１７と風呂追い焚き熱交換器２３との間で浴槽水を循環する風呂往き管１８ａ、風呂戻り管19ａを設け、前記配管接続スペース１ｂ内の配管接続部１ｃに配設した沸き上げ往き配管接続口９、沸き上げ戻り配管接続口１０及び風呂往き配管接続口１８、風呂戻り配管接続口１９と接続するようにしている。
【００１９】
前記沸き上げ往き配管接続口９、沸き上げ戻り配管接続口１０及び風呂往き配管接続口１８、風呂戻り配管接続口１９は、略千鳥状に配置するとともに、その接続端は後方に配置された配管長を前方より長く突出させた構成としてある。
【００２０】
具体的には、風呂往き配管接続口１８は、筐体左前面に配置されており、風呂戻り配管接続口１９は、風呂往き配管接続口１８の右斜め後方に配置されている。また、熱源機２からの戻り配管接続口１０は、風呂戻り配管接続口１９の右斜め前方に配置されており、熱源機２への往き配管接続口９は、熱源機２からの戻り配管接続口１０の右斜め後方に配置している。
【００２１】
また、後方に配置された風呂戻り配管接続口１９及び熱源機２への往き配管接続口９は、前方に配置された風呂往き配管接続口１８及び熱源機２からの戻り配管接続口１０より最低ネジ部分以上長く突出して構成している。
【００２２】
このように、貯湯タンクユニット１の下方に設けた配管接続スペース１ｂに外部配管２０との接続部を集約し、かつ、複数の接続口を略千鳥状に配設し、後方の配管接続口の長さを前方より長く突出させることで、幅狭の筐体において効果的に外部配管との接続作業を行うことができ、集合住宅等の狭地への設置に対応可能となる。
【００２３】
なお、熱源機２はＣＯ２を冷媒としたヒートポンプサイクルにより構成され、略９０℃の高温水を貯湯タンク３、４に供給することが可能となっている。
【００２４】
上記構成において、動作を説明すると、水道管５より導かれた水は, 減圧弁６により所定の圧力に減圧され、貯湯タンク３、４内に貯められる。貯められた水は, 沸き上げポンプ８により、沸き上げ往き配管接続口９を経て、熱源機であるヒートポンプユニット２に導かれる。導かれた水は, ヒートポンプユニット２内で,外気から集めた熱と熱交換され湯となって、沸き上げ戻り配管接続口１０を経て、貯湯タンク３、４内に貯められる。貯められたお湯は, 電動式の混合弁１１により、所定の温度に調整され、出湯管１３を経て, カラン１４より出湯される。
【００２５】
また、風呂注湯開閉弁１５を開けることにより、風呂往き配管接続口１８を経て、浴槽１７に具備された浴槽循環口Ｗより浴槽内に湯張りを行う、浴槽１７内のお湯が冷めると風呂循環ポンプ２２を動作させることにより、浴槽１７内の水を風呂戻り配管接続口１９を経て、貯湯タンクユニット１内に具備された、熱交換機２３により、貯湯タンク３、４内に貯められたお湯と熱交換され所定の湯温で、風呂往き配管接続口１８を経て、浴槽１７内に戻される。
【００２６】
（実施の形態２）
図５は、本発明の実施の形態２における貯湯タンクユニットの化粧カバー装着状態を示す構成図である。
【００２７】
外部配管の工事が完了した後、美観を維持するために、貯湯タンクユニット１の外郭構成用のビスを利用し着脱自在の化粧カバー２４を取り付けられる構成となっている。
【００２８】
（実施の形態３）
図６は、本発明の実施の形態３における貯湯タンクユニットの化粧カバー装着時に１部品を外した状態を示す構成図である。
【００２９】
外部配管２０を貯湯ユニット前面に引き回す場合化粧カバー２４を構成している２部品のうち１部品フタ２５を外すことにより、化粧カバー２４全体を取り外すことなく綺麗に引き回しができる。フタ２５は、化粧カバー２４にビスで締結されている。
【産業上の利用可能性】
【００３０】
以上のように、本発明の貯湯タンクユニットは、幅狭の外装ケースにおいて本体配管の数量が増加しても外部配管との接続作業を容易に行えるもので、本体配管と外部配管を接続する構成を有する機器全般に適用できる。
【図面の簡単な説明】
【００３１】
【図１】本発明の第１の実施の形態における貯湯タンクユニットの全体構成図
【図２】同貯湯タンクユニットの横断面図
【図３】同貯湯タンクユニットの配管接続部の詳細図
【図４】同貯湯タンクユニットの前断面図
【図５】本発明の第２の実施の形態における貯湯タンクユニットの化粧カバー装着状態を示す構成図
【図６】本発明の第３の実施の形態における貯湯タンクユニットの化粧カバー装着状態を示す構成図
【符号の説明】
【００３２】
１  貯湯タンクユニット
１ａ  筐体
１ｂ  配管接続スペース
１ｃ  配管接続部
２  ヒートポンプユニット（熱源機）
９  沸き上げ往き配管接続口（外部配管）
１０  沸き上げ戻り配管接続口（外部配管）
１８  風呂往き配管接続口（外部配管）
１９  風呂戻り配管接続口（外部配管）
【図１】
2006084114.tif 000003
【図２】
2006084114.tif 000004
【図３】
2006084114.tif 000005
【図４】
2006084114.tif 000006
【図５】
2006084114.tif 000007
【図６】
2006084114.tif 000008